(57)【要約】【課題】一例として、電子機器の筐体の壁部をより不都合の少ない状態で支持可能な支持装置を得る。【解決手段】実施形態にかかる支持装置は、支持部と、吸気部と、を備えた。支持部は、ハニカム状のリブが突出した第一の面を有した電子機器の壁部を支持し、当該壁部を支持した状態でリブが収容される溝部が設けられるとともに当該溝部の六角形状の環状部分の環内側で第一の面側に開放された吸気口が設けられた第二の面を有した。吸気部は、吸気口から空気を吸い込む。【選択図】図７
2014092173.tif 000002
【特許請求の範囲】
【請求項１】
ハニカム状のリブが突出した第一の面を有した電子機器の壁部を支持し、当該壁部を支持した状態で前記リブが収容される溝部が設けられるとともに当該溝部の六角形状の環状部分の環内側で前記第一の面側に開放された吸気口が設けられた第二の面を有した支持部と、
前記吸気口から空気を吸い込む吸気部と、
を備えた、支持装置。
【請求項２】
前記吸気口は、前記第二の面に設けられた複数の前記環状部分のうちの一部に設けられた、請求項１に記載の支持装置。
【請求項３】
前記吸気口は、前記第二の面の端部に位置された、請求項２に記載の支持装置。
【請求項４】
前記環状部分の内側の前記吸気口の開口面積が、前記第二の面の場所によって異なる、請求項１〜３のうちいずれか一つに記載の支持装置。
【請求項５】
前記環状部分と前記吸気口との間に、前記第一の面と前記第二の面との間に介在されたシール部が設けられた、請求項１に記載の支持装置。
【請求項６】
前記シール部は、環状のシール部材を含み、
前記第一の面および前記第二の面のうち少なくともいずれか一方に、前記シール部材を収容した第二の溝部が設けられた、請求項５に記載の支持装置。
【請求項７】
前記シール部は、前記第一の面および前記第二の面のうち少なくともいずれか一方に塗布されたシール剤を含む、請求項５に記載の支持装置。
【請求項８】
ハニカム状のリブが突出した第一の面を有した壁部を支持し、当該壁部を支持した状態で前記リブが収容される溝部が設けられるとともに当該溝部の六角形状の環状部分の環内側で前記第一の面側に開放された吸気口が設けられた第二の面を有し、前記吸気口に繋がる吸気通路が設けられた、支持具。
【請求項９】
外面と、当該外面の反対側に位置されハニカム状のリブが突出するとともに当該リブの六角形状の環状部分の環内側に環状のシール部材を収容可能な環状の溝部が設けられた内面と、を有した壁部を含む筐体と、
前記筐体内に収容された部品と、
を備えた、電子機器。
【発明の詳細な説明】
【技術分野】
【０００１】
本発明の実施形態は、支持装置、支持具、および電子機器に関する。
【背景技術】
【０００２】
従来、筐体の壁部の内面にハニカム状のリブが設けられた電子機器が知られている。
【先行技術文献】
【特許文献】
【０００３】
【特許文献１】特開２０１２−４９７７号公報
【発明の概要】
【発明が解決しようとする課題】
【０００４】
この種の電子機器では、製造時等に壁部に何らかの処理が施される際等に、当該壁部をより不都合の少ない状態で支持できるのが好ましい場合がある。
【０００５】
そこで、本発明の実施形態は、一例として、電子機器の筐体の壁部をより不都合の少ない状態で支持可能な支持装置を得ることを目的の一つとする。
【課題を解決するための手段】
【０００６】
本発明の実施形態にかかる支持装置は、支持部と、吸気部と、を備えた。支持部は、ハニカム状のリブが突出した第一の面を有した電子機器の壁部を支持し、当該壁部を支持した状態でリブが収容される溝部が設けられるとともに当該溝部の六角形状の環状部分の環内側で第一の面側に開放された吸気口が設けられた第二の面を有した。吸気部は、吸気口から空気を吸い込む。
【図面の簡単な説明】
【０００７】
【図１】図１は、実施形態にかかる電子機器の一例が示された斜視図である。
【図２】図２は、実施形態にかかる電子機器の一例の筐体の壁部を筐体外側から見た平面図である。
【図３】図３は、実施形態にかかる電子機器の一例の筐体の壁部を筐体内側から見た平面図である。
【図４】図４は、実施形態にかかる支持装置を含む加工装置の概略構成の一例が示されたブロック図である。
【図５】図５は、実施形態にかかる支持装置の一例の支持部の面（第二の面）が示された斜視図である。
【図６】図６は、実施形態にかかる支持装置の一例と電子機器の一例の筐体の壁部とが示された模式的な分解断面図である。
【図７】図７は、実施形態にかかる支持装置の一例によって支持された電子機器の一例の筐体の壁部に加工が施される状態の一例が示された模式的な断面図である。
【図８】図８は、第１変形例にかかる支持装置の一例によって支持された電子機器の一例の筐体の壁部に加工が施される状態の一例が示された模式的な断面図である。
【図９】図９は、第２変形例にかかる支持装置の一例によって支持された電子機器の一例の筐体の壁部に加工が施される状態の一例が示された模式的な断面図である。
【図１０】図１０は、第３変形例にかかる支持装置の一例によって支持された電子機器の一例の筐体の壁部に加工が施される状態の一例が示された模式的な断面図である。
【図１１】図１１は、第４変形例にかかる支持装置の一例の支持部の面（第二の面）の模式的な平面図である。
【図１２】図１２は、第５変形例にかかる支持装置の一例の支持部の面（第二の面）の模式的な平面図である。
【図１３】図１３は、第６変形例にかかる支持装置の一例によって支持された電子機器の一例の筐体の壁部に加工が施される状態の一例が示された模式的な断面図である。
【図１４】図１４は、第７変形例にかかる支持装置の一例と電子機器の一例の筐体の壁部とが示された模式的な分解断面図である。
【図１５】図１５は、第７変形例にかかる支持装置の一例と電子機器の一例の筐体の壁部とが示された模式的な断面図である。
【発明を実施するための形態】
【０００８】
以下の例示的な複数の実施形態や変形例には、同様の構成要素が含まれている。よって、以下では、同様の構成要素には共通の符号が付されるとともに、重複する説明が省略される。また、各実施形態や変形例に含まれる部分は、他の実施形態や変形例の対応する部分と置き換えて構成されうる。
【０００９】
また、以下の実施形態では、電子機器がクラムシェル型（ノート型、折りたたみ型）のパーソナルコンピュータとして構成された場合が例示されるが、本実施形態にかかる電子機器は、これらには限定されない。本実施形態にかかる電子機器は、例えば、タブレット型のパーソナルコンピュータや、スマートフォン、電子書籍端末、スマートブック、携帯電話機、ＰＤＡ（personal digital assistant）、映像表示装置、テレビジョン受像機、テレビ電話機、映像表示制御装置、情報記憶装置等、筐体の壁部の内面にハニカム状のリブが設けられた種々の電子機器として構成することができる。
【００１０】
＜実施形態＞
本実施形態では、一例として、図１に示されるように、電子機器１は、筐体２（第一の筐体、筐体、第一部分）と筐体３（第二の筐体、別の筐体、第二部分）とを備える。筐体２には、表示装置４の少なくとも一部が収容されている。筐体３には、基板１０が収容されている。また、筐体３には、キーボード６（入力操作部、入力受付部、入力部）や、タッチパッド７（入力操作部、入力受付部、入力部）、クリックボタン８（入力操作部、入力受付部、入力部）等が設けられている。
【００１１】
筐体２と筐体３とは、ヒンジ部９（接続部、連結部、回動支持部、ヒンジ機構、接続機構、連結機構、回動支持機構）によって回動可能に接続されている。筐体２と筐体３とは、ヒンジ部９により、少なくとも図１に示される展開状態と、図示されない折り畳み状態との間で回動可能に接続されている。本実施形態では、一例として、ヒンジ部９は、筐体２と筐体３とを、回動軸Ａｘ回りに回動可能に、接続している。表示装置４の表示画面４ａは、筐体２の面２ａ（正面、面、面部）に設けられた開口部２ｒから視認可能である。また、キーボード６や、タッチパッド７、クリックボタン８等は、筐体３の面３ａ（上面、正面、第一面、第一面部）に露出している。折り畳み状態では、筐体３の面３ａと筐体２の面２ａとが重なり、表示画面４ａや、キーボード６、タッチパッド７、クリックボタン８等が、筐体３および筐体２に隠される。展開状態では、筐体３の面３ａおよび筐体２の面２ａが露出され、表示画面４ａや、キーボード６、タッチパッド７、クリックボタン８等が使用可能（視認可能あるいは操作可能）になる。
【００１２】
本実施形態では、一例として、図１に示されるように、筐体２は、正面視および背面視では四角形状（本実施形態では、一例として横に長い長方形状）の外観を呈している。また、筐体２は、本実施形態では、一例として、前後方向（筐体２の厚さ方向）に薄い扁平な直方体状に構成されている。筐体２は、面２ａ（正面、前面、面部）とその反対側の面２ｂ（背面、後面、面部）と、面２ａと面２ｂとの間に亘る面２ｐ（側面、面部）と、を有する。面２ａおよび面２ｂはいずれも、厚さ方向と交叉している。面２ａと面２ｂとは略平行である。また、面２ａ，２ｂと面２ｐとは、交叉している（本実施形態では、一例として直交している）。また、筐体２は、正面視では、四つの端部２ｃ〜２ｆ（辺部、縁部、周縁部）と、四つの角部２ｇ〜２ｊ（尖部、曲部、端部）と、を有する。端部２ｃ，２ｅは、長辺部の一例である。端部２ｄ，２ｆは、短辺部の一例である。
【００１３】
また、筐体２は、壁部２ｋ（部分、プレート、前壁部、表壁部、天壁部、第一の壁部）と、壁部２ｍ（部分、プレート、後壁部、裏壁部、底壁部、第二の壁部）と、壁部２ｎ（部分、プレート、側壁部、端壁部、立壁部、亘部、第三の壁部）と、を有する。壁部２ｋは、面２ａを有する。壁部２ｍは、面２ｂを有する。壁部２ｎは、面２ｐを有する。壁部２ｋ，２ｍ，２ｎは、いずれも四角形状（本実施形態では、一例として長方形状）である。また、壁部２ｋ，２ｍ，２ｎは、いずれも板状である。壁部２ｋには、四角形状の開口部２ｒが設けられている。
【００１４】
さらに、筐体２は、複数の部品（分割体、部材）が組み合わせられて構成されている。筐体２は、一例としては、部材２１（前側部材、カバー、ベゼル、プレート、第一の部材）と、部材２２（後側部材、ベース、ボトム、プレート、第二の部材）と、を有する。部材２１は、壁部２ｋを含む。部材２２は、壁部２ｍを含む。壁部２ｎは、部材２１および部材２２のうち少なくともいずれか一方（本実施形態では、一例として部材２２）に含まれる。部材２１，２２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体２は、部材２１，２２とは別の部材（図示されず）を有することができる。
【００１５】
また、本実施形態では、一例として、筐体２内には、表示装置４（表示部、ディスプレイ、パネル、表示部品）が収容されている。具体的には、使用者は、前方側から開口部３ｒを介して表示装置４の表示画面４ａを視認することができる。表示装置４は、正面視では四角形状（本実施形態では一例として長方形状）の外観を呈している。また、表示装置４は、前後方向に薄い偏平な直方体状に構成されている。表示装置４は、例えば、液晶ディスプレイ（ＬＣＤ，liquid crystal display）や、有機ＥＬディスプレイ（ＯＥＬＤ，organic electro-luminescent display）等である。また、表示装置４は、フレキシブルディスプレイであってもよい。
【００１６】
また、本実施形態では、一例として、表示装置４の前側（表側、壁部２ｋ側）には、透明な比較的薄い四角形状の入力操作パネル５（タッチパネル、タッチセンサ、操作面、入力操作部、入力受付部）が設けられている。入力操作パネル５は、表示画面４ａを覆っている。操作者（ユーザ等）は、例えば手指やスタイラス等によって、入力操作パネル５に対して、触れる、押す、擦る、あるいは入力操作パネル５の近傍で動かす等の操作を行うことで、入力処理を実行することができる。また、表示装置４の表示画面４ａから出た光は、入力操作パネル５を通過して壁部２ｋの開口部２ｒから筐体２の前方（外方）へ出る。入力操作パネル５は、入力部の一例である。また、本実施形態では、一例として、表示装置４および入力操作パネル５は、筐体２に、例えば、固定具（固定部品、金具、例えば、ねじ、金具、部品等、図示されず）や接着部（例えば接着剤や両面テープ等、図示されず）を介して固定される（支持される）。なお、入力操作パネル５は、表示装置４内に含まれたインセルタッチパネルとして構成されてもよい。
【００１７】
一方、本実施形態では、一例として、図１に示されるように、筐体３は、正面視および背面視では四角形状（本実施形態では、一例として横に長い長方形状）の外観を呈している。また、図１に示されるように、筐体３は、前後方向（筐体３の厚さ方向、図１の左右方向）に薄い偏平な直方体状に構成されている。筐体３は、面３ａ（外面、表面、正面、前面、面部）とその反対側の面３ｂ（内面、裏面、背面、後面、面部）と、面３ａと面３ｂとの間に亘る面３ｐ（側面、面部）と、を有する。面３ａおよび面３ｂはいずれも、厚さ方向と交叉している。面３ａと面３ｂとは略平行である。また、面３ａ，３ｂと面３ｐとは、交叉している（本実施形態では、一例として直交している）。また、筐体３は、正面視では、四つの端部３ｃ〜３ｆ（辺部、縁部、周縁部）と、四つの角部３ｇ〜３ｊと（尖部、曲部、端部）、を有する。端部３ｃ，３ｅは、長辺部の一例である。端部３ｄ，３ｆは、短辺部の一例である。
【００１８】
また、筐体３は、壁部３ｋ（部分、プレート、前壁部、表壁部、天壁部、第一の壁部）と、壁部３ｍ（部分、プレート、後壁部、裏壁部、底壁部、第二の壁部）と、壁部３ｎ（部分、プレート、側壁部、端壁部、立壁部、亘部、第三の壁部）と、を有する。壁部３ｋは、面３ａを有する。壁部３ｍは、面３ｂを有する。壁部３ｎは、面３ｐを有する。壁部３ｋ，３ｍ，３ｎは、いずれも四角形状（本実施形態では、一例として長方形状）である。また、壁部３ｋ，３ｍ，３ｎは、いずれも板状である。壁部３ｋには、四角形状の開口部３ｒが設けられている。
【００１９】
さらに、筐体３は、複数の部品（分割体、部材）が組み合わせられて構成されている。筐体３は、一例としては、部材３１（前側部材、カバー、ベゼル、プレート、第一の部材）と、部材３２（後側部材、ベース、ボトム、プレート、第二の部材）と、を有する。部材３１は、壁部３ｋを含む。部材３２は、壁部３ｍを含む。壁部３ｎは、部材３１および部材３２のうち少なくともいずれか一方（本実施形態では、一例として部材３２）に含まれる。部材３１，３２は、例えば、金属材料や合成樹脂材料等で構成されうる。金属材料は、例えば、鋳造や、プレス、切削等で構成することができる。合成樹脂材料は、例えば、射出成形等で構成することができる。なお、筐体３は、部材３１，３２とは別の部材（図示されず）を有することができる。
【００２０】
そして、本実施形態では、一例として、筐体３内には、一つ以上の基板１０（基板アセンブリ１１、部品）が収容されている。基板１０は、キーボード６と平行に設けられている。基板１０は、筐体３に、結合具（図示されず）によって固定されている。
【００２１】
また、本実施形態では、一例として、基板１０には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の部品（図示されず）を実装することができる。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２２】
また、本実施形態では、一例として、図２に示されるように、壁部３ｋのパームレスト部３ｓの面３ａ（外面、表面、筐体３外側の面）に、比較的細くかつ比較的小さな筋状の凹凸形状３ｔ（凹部、凹溝、凸部、凸条、図１には図示されず）が設けられている。凹凸形状３ｔは、面３ａの法線方向（直交方向、筐体３の厚さ方向）からの視線（平面視）で、曲線上（円弧状）に形成されている。このような凹凸形状３ｔにより、パームレスト部３ｓでの手指の滑りが抑制されたり、指紋等が目立ちにくくなったり、光の反射が緩和されたりといった効果がある。
【００２３】
本実施形態では、一例として、凹凸形状３ｔは、壁部３ｋがダイキャストその他の製造方法で構成された後に形成される。凹凸形状３ｔが壁部３ｋの構成後に形成されると、好都合な場合がある。例えば、電子機器１の機種や、グレード、個体毎に凹凸形状３ｔのスペック（例えば、形状、大きさ、方向、高さ、深さ等）を変更したり、凹凸形状３ｔが設けられた電子機器１と設けられない電子機器１とを構成したりする場合に、一例としては、製造コストが低減されやすい。
【００２４】
また、本実施形態では、一例として、図３に示されるように、壁部３ｋのパームレスト部３ｓの面３ａとは反対側の面３ｕ（内面、裏面、筐体３内側の面）には、ハニカム状のリブ１２（壁部）が設けられている。ハニカム状のリブ１２は、面３ｕ上に突出した平面視で直線状の複数の壁部１２ａが、六角形（正六角形）を敷き詰めた形状に接続されて、構成されている。すなわち、リブ１２には、六つの壁部１２ａが環状に接続された複数の六角形状の環状部分１２ｂが含まれている。また、リブ１２により、六つの壁部１２ａで囲まれた平面視で六角形状の複数の凹部１２ｃが形成されている。このようなハニカム状のリブ１２により、壁部３ｋの剛性および強度が、比較的軽量な状態で高まりやすい。ハニカム状のリブ１２の高さは、例えば、当該リブ１２が形成される領域（パームレスト部３ｓ）では、一定である。ただし、当該領域の周縁部では、リブ１２の高さは、中央部側から周縁側に向かうほど低くなってもよい。
【００２５】
そして、本実施形態では、一例として、壁部３ｋの面３ｕに設けられたハニカム状のリブ１２が、壁部３ｋの面３ａに凹凸形状３ｔを形成する際の壁部３ｋの支持に利用される。図４には、壁部３ｋを加工する加工装置４０の一例の概略構成が示されている。加工装置４０は、支持部４１（支持具、治具、支持台）や、吸気部４２、加工部４３、制御部４４等を含む。吸気部４２は、例えば、空気ポンプ（真空ポンプ）や、空気配管等（いずれも図示されず）を含む。加工部４３は、工具４３ａ（例えば、カッター等、図７等参照）や、当該工具４３ａを動かす駆動装置（例えば、回転駆動装置等、図示されず）等を含む。制御部４４は、吸気部４２や加工部４３等の動作を制御する。壁部３ｋは、支持部４１と吸気部４２とを含む支持装置４５によって、支持される。
【００２６】
本実施形態では、一例として、支持部４１は、吸気部４２により吸引された空気の負圧によって、壁部３ｋを吸着する。図５〜７に示されるように、支持部４１は、壁部３ｋの面３ｕ（第一の面）に対向するまたは接触する面４１ａ（第二の面）を有している。面４１ａには、ハニカム状のリブ１２を収容するハニカム状の溝部４１ｂが構成されている。溝部４１ｂには、ハニカム状のリブ１２の六角形状の環状部分１２ｂに対応して、複数の六角形状の環状部分４１ｃが含まれている。なお、溝部４１ｂは、リブ１２が収容されるよう、リブ１２より大きな幅や深さ等を有することができる。また、溝部４１ｂの開口部（開口縁、開口端）には、適宜面取り等が施されうる。
【００２７】
そして、本実施形態では、一例として、面４１ａの、各環状部分４１ｃの環内側（内側）となる位置には、吸気口４１ｄが設けられている。吸気口４１ｄは、各環状部分４１ｃの内側の領域のほぼ中央部に設けられている。吸気口４１ｄは、支持部４１内に設けられた吸気通路４１ｅの面４１ａでの開口部分である。本実施形態では、一例として、吸気口４１ｄは、全ての環状部分４１ｃ内に開口されている。
【００２８】
さらに、本実施形態では、一例として、環状部分４１ｃの内側に、シール部１３が設けられている。シール部１３は、本実施形態では、一例として、面４１ａの、各環状部分４１ｃと吸気口４１ｄとの間に、当該吸気口４１ｄを取り囲むように、円環状の溝部４１ｆ（第二の溝部）が設けられている。当該溝部４１ｆには、Ｏリング１３ａ（シール部材）が挿入されている。本実施形態では、一例として、図７に示されるように、面４１ａと面３ｕとの間に挟まれて弾性的に潰されたＯリング１３ａにより、シール部１３が構成されている。
【００２９】
すなわち、本実施形態では、一例として、図６，７に示されるように、支持部４１の面４１ａ上に、壁部３ｋが載せられる。このとき、面４１ａに設けられたハニカム状の溝部４１ｂ内に、面３ｕに設けられたハニカム状のリブ１２が収容される（入れられる）。吸気部４２（図４参照）の動作により、吸気口４１ｄから空気が吸われると、シール部１３の吸気口４１ｄ側で面４１ａと面３ｕとの間の空間が負圧となる。この負圧によって壁部３ｋが支持部４１に吸着され、支持される。この際、例えば、面４１ａと面３ｕとが接触する。そして、図７に示されるように、壁部３ｋが支持部４１に支持された状態で、工具４３ａが動かされ、壁部３ｋの面３ａに凹凸形状３ｔが加工される。工具４３ａによる加工としては、例えば、切削や、研磨、押圧等がある。
【００３０】
以上、説明したように、本実施形態では、一例として、支持部４１の面４１ａには、壁部３ｋを支持した状態でリブ１２が収容される溝部４１ｂが設けられている。また、面４１ａには、溝部４１ｂの六角形状の環状部分４１ｃの環内側で面３ｕ側に開放された吸気口４１ｄが設けられている。そして、吸気部４２が吸気口４１ｄから空気を吸い込む。よって、本実施形態によれば、一例としては、支持部４１は、壁部３ｋを吸着して、より確実に支持することができる。また、本実施形態によれば、一例としては、六角形状の環状部分４１ｃを含む溝部４１ｂに、六角形状の環状部分１２ｂを含むリブ１２が収容される。よって、一例としては、溝部４１ｂにリブ１２が収容された状態で、リブ１２と支持部４１とが引っ掛かるため、加工部４３から壁部３ｋに面３ａ，３ｕ，４１ａに沿った方向の力が作用しても、壁部３ｋが支持部４１からずれ難い。また、本実施形態によれば、一例としては、面３ｕと面４１ａとの間で吸気口４１ｄからの吸気によって負圧が作用する領域が、溝部４１ｂ内にリブ１２が収容されて空気の通流抵抗となる領域で囲まれるため、空気の漏れによって吸気口４１ｄからの吸気による壁部３ｋの支持力（保持力、吸着力）が損なわれるのが、抑制されやすい。
【００３１】
また、本実施形態では、一例として、環状部分４１ｃと吸気口４１ｄとの間に、面３ｕと面４１ａとの間に介在されたシール部１３（Ｏリング１３ａ、シール部材）が設けられた。よって、本実施形態によれば、一例としては、シール部１３によって空気の漏れがより一層抑制されるため、吸気口４１ｄからの吸気による壁部３ｋの支持力（保持力、吸着力）が損なわれるのが、抑制されやすい。
【００３２】
また、本実施形態では、一例として、シール部１３は、環状のＯリング１３ａ（シール部材）を含む。また、面３ｕおよび面４１ａのうち少なくともいずれか一方（本実施形態では、一例として面４１ａ）に、Ｏリング１３ａを収容する溝部４１ｆが設けられた。よって、本実施形態によれば、一例としては、Ｏリング１３ａがより確実に支持されやすい。よって、一例としては、Ｏリング１３ａのシール機能が損なわれにくい。
【００３３】
＜第１変形例＞
図８に示される第１変形例では、シール部１３として、吸気口４１ｄを取り囲む環状でありかつシート状のパッキン１３ｂが設けられている。パッキン１３ｂも、支持部４１の面４１ａの吸気口４１ｄと環状部分４１ｃ（溝部４１ｂ、図５参照）との間に設けられ、面３ｕと面４１ａとの間に介在されている。本変形例によっても、一例としては、シール部１３を有した上記実施形態と同様の結果（効果）が得られる。なお、パッキン１３ｂは、支持部４１に、例えば接着や溶着等により、固定されうる。
【００３４】
＜第２変形例＞
図９に示される第２変形例では、シール部１３として、面４１ａと面３ｕとの間に、グリス１３ｃ（シール剤）が塗布されている。グリス１３ｃは、面４１ａおよび面３ｕのうち少なくともいずれか一方（本実施形態では、一例として面４１ａ）に塗布されている。グリス１３ｃも、少なくとも支持部４１の面４１ａの吸気口４１ｄと環状部分４１ｃ（溝部４１ｂ、図５参照）との間に塗布され、面３ｕと面４１ａとの間に介在されている。本変形例によっても、一例としては、シール部１３を有した上記実施形態や変形例と同様の結果（効果）が得られる。
【００３５】
＜第３変形例＞
図１０に示される第３変形例には、上記実施形態や変形例で用いられたシール部１３は設けられていない。このようにシール部１３が無い場合にあっても、吸気部４２（図４参照）によって吸気口４１ｄから空気を吸入することで、所要の支持力（吸着力）が得られる場合がある。なお、かかる構成では、例えば、面３ｕ，４１ａの面粗度や、平面度、リブ１２と溝部４１ｂとの間の寸法、吸気部４２の流量等が、適宜に調整されうる。
【００３６】
＜第４変形例＞
図１１に示される第４変形例では、吸気口４１ｄは、全ての環状部分４１ｃに設けられるのではなく、一部の環状部分４１ｃに設けられている。また、本変形例では、一例として、吸気口４１ｄは、溝部４１ｂが形成された領域Ａの端部４１ｇや角部４１ｈに設けられている。本変形例によれば、一例としては、吸気口４１ｄの数をより減らすことができる分、支持部４１がより安価に構成されやすい。また、領域Ａの端部４１ｇや角部４１ｈ（端部）で支持部４１から壁部３ｋが離れると、圧力が上昇して支持力（吸引力）が低下する領域が広がりやすい。よって、本変形例によれば、一例としては、吸気口４１ｄが、端部４１ｇや角部４１ｈに設けられることで、外力によって壁部３ｋが支持部４１から外れるのが抑制されやすい。
【００３７】
＜第５変形例＞
図１２に示される第５変形例では、環状部分４１ｃの内側の吸気口４１ｄの開口面積が、面４１ａの場所によって異なる。本変形例では、一例として、領域Ａの角部４１ｈや中央部４１ｉに設けられた吸気口４１ｄの開口面積が、それら以外の吸気口４１ｄの開口面積より大きい。吸気口４１ｄの開口面積が大きいほど、支持力（吸着力）が大きくなりやすい。よって、本変形例によれば、一例としては、吸気口４１ｄの開口面積の大きさによって、面４１ａの場所によって支持力（吸着力）を変化させ、支持部４１が壁部３ｋをより効率良く支持することができる場合がある。
【００３８】
＜第６変形例＞
図１３に示される第６変形例では、シール部１３として、溝部４１ｂ内に収容されたガスケット１３ｄが設けられている。ガスケット１３ｄは、ハニカム状かつメッシュ状に形成され、溝部４１ｂの底部に位置され、当該溝部４１ｂの底部とリブ１２の頂部との間に挟まれる。本変形例によっても、一例としては、シール部１３を有した上記実施形態や変形例と同様の結果（効果）が得られる。また、本変形例によれば、一例としては、ガスケット１３ｄは一体的に繋がっているため、より容易に取り扱うことができる。
【００３９】
＜第７変形例＞
図１４，１５に示される第７変形例では、上記実施形態と同様、シール部１３として、Ｏリング１３ａが設けられている。ただし、本変形例では、支持部４１とともに、筐体３の壁部３ｋの面３ｕにも、Ｏリング１３ａを収容する溝部３ｖ（第二の溝部）が設けられている。本変形例によっても、一例としては、シール部１３を有した上記実施形態や変形例と同様の結果（効果）が得られる。また、本変形例では、筐体３の壁部３ｋの面３ｕの環状部分１２ｂの内側に設けられた溝部３ｖが、本変形例にかかる支持装置４５（支持部４１）を用いて筐体３の壁部３ｋの支持が行われたことの証拠となりうる。
【００４０】
以上、本発明の実施形態を例示したが、上記実施形態はあくまで一例であって、発明の範囲を限定することは意図していない。これら実施形態は、その他の様々な形態で実施されることが可能であり、発明の要旨を逸脱しない範囲で、種々の省略、置き換え、組み合わせ、変更を行うことができる。これら実施形態やその変形は、発明の範囲や要旨に含まれるとともに、特許請求の範囲に記載された発明とその均等の範囲に含まれる。本発明は上記実施形態には限定されず、種々の変形が可能である。また、各構成要素のスペック（構造や、種類、方向、形状、大きさ、長さ、幅、厚さ、高さ、数、配置、位置、材質等）は、適宜に変更して実施することができる。例えば、ハニカム状のリブは、他の壁部に設けられていてもよい。また、加工部による加工は、切削や、研磨、押圧の他、印刷等であってもよい。また、吸気口の開口面積は、吸気口の数によって調整することも可能である。また、シール剤は、グリス以外の例えばオイル等であってもよい。
【符号の説明】
【００４１】
１…電子機器、３ａ…面（外面）、３ｋ…壁部、３ｕ…面（第一の面、内面）、３ｖ…溝部（第二の溝部）、１０…基板（部品）、１１…基板アセンブリ（部品）、１２…リブ、１３…シール部、１３ａ…Ｏリング（シール部材）、１３ｂ…パッキン（シール部材）、１３ｃ…グリス（シール剤）、１３ｄ…ガスケット（シール部材）、４０…加工装置、４１…支持部、４１ａ…面（第二の面）、４１ｂ…溝部、４１ｃ…環状部分、４１ｄ…吸気口、４１ｅ…吸気通路、４１ｆ…溝部（第二の溝部）、４１ｇ…端部、４１ｈ…角部（端部）、４２…吸気部、４５…支持装置。
【図１】
2014092173.tif 000003
【図２】
2014092173.tif 000004
【図３】
2014092173.tif 000005
【図４】
2014092173.tif 000006
【図５】
2014092173.tif 000007
【図６】
2014092173.tif 000008
【図７】
2014092173.tif 000009
【図８】
2014092173.tif 000010
【図９】
2014092173.tif 000011
【図１０】
2014092173.tif 000012
【図１１】
2014092173.tif 000013
【図１２】
2014092173.tif 000014
【図１３】
2014092173.tif 000015
【図１４】
2014092173.tif 000016
【図１５】
2014092173.tif 000017